(57)【要約】【課題】厚みが大きいブレースを車幅方向に真っ直ぐに配設することが困難な部位であっても、プロペラシャフトや排気管を回避しつつ、車幅方向に直線的な荷重伝達経路を確保して、フロントクロスメンバを補強し得るリヤサブフレーム構造を提供する。【解決手段】フロントクロスメンバ１１の下部中央にはプロペラシャフト２６を挿通するトンネル部１１ａが設けられており、トンネル部１１ａ下部を車幅方向に連結するブレース２７が設けられ、ブレース２７は、プロペラシャフト２６を避けて下方に膨出する中央下側膨出部２７ａと、中央下側膨出部２７ａの車幅方向外側において排気管４１を避けて上方に膨出する上方膨出部２７ｂとが形成され、ブレース２７には、左右の取付け部２７ｃを車幅方向に直線的に連結する荷重伝達経路が形成されたことを特徴とする。【選択図】図４
2017087995.tif 000002
【特許請求の範囲】
【請求項１】
車幅方向に延びるフロントクロスメンバと、該フロントクロスメンバに連結されて車両前後方向に延びる左右一対のサイドメンバとを備えたリヤサブフレームを設け、
上記フロントクロスメンバの車幅方向両端に車体取付け部が設けられたリヤサブフレーム構造であって、
上記フロントクロスメンバの下部中央にはプロペラシャフトを挿通するトンネル部が設けられており、
上記トンネル部下部を車幅方向に連結するブレースが設けられ、
該ブレースは、上記プロペラシャフトを避けて下方に膨出する中央下側膨出部と、
該中央下側膨出部の車幅方向外側において排気管を避けて上方に膨出する上方膨出部とが形成され、
上記ブレースには、左右のトンネル部取付け部を車幅方向に略直線的に連結する荷重伝達経路が形成されたことを特徴とする
リヤサブフレーム構造。
【請求項２】
上記上方膨出部には、デフマウントブッシュを支持するデフマウント部が設けられた
請求項１に記載のリヤサブフレーム構造。
【請求項３】
上記リヤサブフレームは、フロントクロスメンバの後方において車幅方向に延びるリヤクロスメンバと、上記サイドメンバの下方において車両前後方向に延びる下側サイドメンバとを、さらに備えており、
上記ブレースは、上記フロントクロスメンバ下部と、その後方で、上記フロントクロスメンバの上部と下側サイドメンバとの間、または上記サイドメンバと下側サイドメンバとの間に設けられた柱状部とで形成されたロアアーム支持部に対して、下面視でオーバラップする位置において上記下側サイドメンバに連結された
請求項１または２に記載のリヤサブフレーム構造。
【発明の詳細な説明】
【技術分野】
【０００１】
この発明は、リヤサブフレーム構造に関し、詳しくは、車幅方向に延びるフロントクロスメンバと、該フロントクロスメンバに連結されて車両前後方向に延びる左右一対のサイドメンバとを備えたリヤサブフレームを設け、上記フロントクロスメンバの車幅方向両端に車体取付け部が設けられたリヤサブフレーム構造に関する。
【背景技術】
【０００２】
一般に、リヤサブフレームは、車幅方向に延びる前後一対のクロスメンバと、車両前後方向に延びる左右のサイドメンバとを車両平面視で略井桁状に連結して構成される。  
上述のリヤサブフレームを、後席乗員の居住性やヒップポイントの低さを追求して、リヤシートパンの高さを低く設定した車両に取付ける場合、リヤサブフレームの前側車体取付け部は、その上方部が上述のリヤシートパンで規制されるうえ、プロペラシャフトや排気管を車両前後方向に配設する必要があるので、リヤサブフレームを構成するフロントクロスメンバが鞍型に形成される場合がある。
【０００３】
この鞍型のフロントクロスメンバの下部を補強するためには、鞍型部位の下方においてブレースを車幅方向に設けることが考えられるが、排気管やプロペラシャフトを上述のリヤシートパンで規制された狭いスペースに設けようとすると、厚みが大きいブレースを車幅方向に真っ直ぐに配設し難いという問題点があった。
【０００４】
特許文献１には、リヤサブフレームに相当するアッパメンバエレメントを設け、このアッパメンバエレメントに車両前後方向にプロペラシャフトを挿通する鞍型部位を形成し、この鞍型部材の下方に、ブレースに相当するロアメンバエレメントを設けたものが開示されている。
【０００５】
しかしながら、該特許文献１に開示された従来構造においては、上述のロアメンバエレメントが正面視で車幅方向に略直線状に形成されている関係上、この従来構造を、リヤシートパンの高さを低く設定した車両に採用しようとすると、排気管のレイアウト性が悪化する問題点があり、改善の余地があった。
【先行技術文献】
【特許文献】
【０００６】
【特許文献１】米国特許第５８３３０２６号明細書
【発明の概要】
【発明が解決しようとする課題】
【０００７】
そこで、この発明は、厚みが大きいブレースを車幅方向に真っ直ぐに配設することが困難な部位であっても、プロペラシャフトや排気管を回避しつつ、車幅方向に略直線的な荷重伝達経路を確保して、フロントクロスメンバを補強することができるリヤサブフレーム構造の提供を目的とする。
【課題を解決するための手段】
【０００８】
この発明によるリヤサブフレーム構造は、車幅方向に延びるフロントクロスメンバと、該フロントクロスメンバに連結されて車両前後方向に延びる左右一対のサイドメンバとを備えたリヤサブフレームを設け、上記フロントクロスメンバの車幅方向両端に車体取付け部が設けられたリヤサブフレーム構造であって、上記フロントクロスメンバの下部中央にはプロペラシャフトを挿通するトンネル部が設けられており、上記トンネル部下部を車幅方向に連結するブレースが設けられ、該ブレースは、上記プロペラシャフトを避けて下方に膨出する中央下側膨出部と、該中央下側膨出部の車幅方向外側において排気管を避けて上方に膨出する上方膨出部とが形成され、上記ブレースには、左右のトンネル部取付け部を車幅方向に略直線的に連結する荷重伝達経路が形成されたものである。
【０００９】
上記構成によれば、厚みが大きいブレースを車幅方向に真っ直ぐに配設することが困難な部位であっても、プロペラシャフトや排気管を回避しつつ、ブレースの左右のトンネル部取付け部を車幅方向に略直線的に連結する荷重伝達経路を確保することができると共に、上記各膨出部によりブレースそれ自体の補強を行ない、延いては、フロントクロスメンバを補強することができる。
【００１０】
この発明の一実施態様においては、上記上方膨出部には、デフマウントブッシュを支持するデフマウント部が設けられたものである。
【００１１】
上記構成によれば、部品点数を増加することなく、デフマウント部を膨出部にて補強して、リヤディファレンシャル装置の支持が可能となり、かつ別途、デフマウントブラケットを設ける必要もない。
【００１２】
この発明の一実施態様においては、上記リヤサブフレームは、フロントクロスメンバの後方において車幅方向に延びるリヤクロスメンバと、上記サイドメンバの下方において車両前後方向に延びる下側サイドメンバとを、さらに備えており、上記ブレースは、上記フロントクロスメンバ下部と、その後方で、上記フロントクロスメンバの上部と下側サイドメンバとの間、または上記サイドメンバと下側サイドメンバとの間に設けられた柱状部とで形成されたロアアーム支持部に対して、下面視でオーバラップする位置において上記下側サイドメンバに連結されたものである。
【００１３】
上記構成によれば、上述のブレースによりロアアーム支持部それ自体の補強を行なうことができる。
【発明の効果】
【００１４】
この発明によれば、厚みが大きいブレースを車幅方向に真っ直ぐに配設することが困難な部位であっても、プロペラシャフトや排気管を回避しつつ、車幅方向に略直線的な荷重伝達経路を確保して、フロントクロスメンバを補強することができる効果がある。
【図面の簡単な説明】
【００１５】
【図１】本発明のリヤサブフレーム構造を示す斜視図
【図２】リヤサブフレーム構造の平面図
【図３】リヤサブフレーム構造の底面図
【図４】リヤサブフレーム構造の正面図
【図５】リヤサブフレーム構造の背面図
【図６】リヤサブフレーム構造を車両左側後方から見た状態で示す斜視図
【図７】リヤサブフレーム構造を車両右上後方から見た状態で示す斜視図
【図８】（ａ）は図２のＡ−Ａ線に沿う要部の矢視断面図、（ｂ）は図２のＢ−Ｂ線に沿う要部の矢視断面図
【図９】図２のＣ−Ｃ線に沿う要部の矢視断面図
【図１０】図２の要部側面図
【図１１】図１０のＤ−Ｄ線矢視断面図
【図１２】（ａ）は隔壁部材の平面図、（ｂ）は隔壁部材の斜視図
【図１３】（ａ）はスタビライザ支持部材の斜視図、（ｂ）はブレースの正面図
【発明を実施するための形態】
【００１６】
厚みが大きいブレースを車幅方向に真っ直ぐに配設することが困難な部位であっても、プロペラシャフトや排気管を回避しつつ、車幅方向に略直線的な荷重伝達経路を確保して、フロントクロスメンバを補強するという目的を、車幅方向に延びるフロントクロスメンバと、該フロントクロスメンバに連結されて車両前後方向に延びる左右一対のサイドメンバとを備えたリヤサブフレームを設け、上記フロントクロスメンバの車幅方向両端に車体取付け部が設けられたリヤサブフレーム構造において、上記フロントクロスメンバの下部中央にはプロペラシャフトを挿通するトンネル部が設けられており、上記トンネル部下部を車幅方向に連結するブレースが設けられ、該ブレースは、上記プロペラシャフトを避けて下方に膨出する中央下側膨出部と、該中央下側膨出部の車幅方向外側において排気管を避けて上方に膨出する上方膨出部とが形成され、上記ブレースには、左右のトンネル部取付け部を車幅方向に略直線的に連結する荷重伝達経路が形成されるという構成にて実現した。
【実施例】
【００１７】
この発明の一実施例を以下図面に基づいて詳述する。  
図面はリヤサブフレーム構造を示し、図１はその斜視図、図２はリヤサブフレーム構造の平面図、図３はリヤサブフレーム構造の底面図、図４はリヤサブフレーム構造の正面図、図５はリヤサブフレーム構造の背面図である。
【００１８】
図１〜図５において、リヤサスペンションを支持するリヤサブフレーム１０は、前側において車幅方向に延びるフロントクロスメンバ１１と、このフロントクロスメンバ１１の後方において車幅方向に延びるリヤクロスメンバ１２と、これらフロントクロスメンバ１１およびリヤクロスメンバ１２とを車両前後方向に連結する上側サイドメンバ（上側のサイドメンバ）１３，１３、並びに、下側サイドメンバ１４，１４とが、車両平面視で略井桁状に連結されたものである。ここで、上述の各メンバ１１〜１４は全て閉断面構造に形成されている。
【００１９】
この実施例では、上側サイドメンバ１３はフロントクロスメンバ１１の車幅方向側部に、後述する柱状部３３（図１０参照）を介して連結されており、この連結部から車両後方に延びるように形成されている。  
また、上述のリヤクロスメンバ１２は、左右一対の上側サイドメンバ１３，１３の後部相互間、並びに左右一対の下側サイドメンバ１４，１４の後部相互間を車幅方向に連結すると共に、上下のサイドメンバ１３，１４を上下方向に連結すべく構成されている。
【００２０】
さらに、上述の下側サイドメンバ１４は、図２に示すように、上側サイドメンバ１３に対して車幅方向内側で、フロントクロスメンバ１１の下部と、リヤクロスメンバ１２の下部とを車両前後方向に連結するよう構成されている。
【００２１】
図２，図３に示すように、左右一対の下側サイドメンバ１４，１４における後部相互間の間隔は、その前部相互間の間隔に対して幅狭に形成されており、これにより後述するロアアーム支持部１２ｂ，１２ｃ（図６参照）を上側サイドメンバ１３に平面視でオーバラップする位置に設けることができるよう構成している。
【００２２】
そして、図１〜図５に示すように、フロントクロスメンバ１１の車幅方向両端には前側の車体取付け部１５，１５が設けられており、上側サイドメンバ１３の後部は、車両後方かつ車幅方向外方へ滑らかに湾曲形成されており、その後端には後側の車体取付け部１６，１６が設けられていて、これらの各車体取付け部１５，１６を介してリヤサブフレーム１０は車体としてのリヤサイドフレームに取付けられる。
【００２３】
１７はロアアームで、このロアアーム１７の車幅方向外端前部に設けられたリンク支持部１７ａには、インテグラルリンク１８の下端部を枢支しており、このインテグラルリンク１８の上端部はハブサポート１９のインテグラルリンク支持部に枢支連結されている。  
上述のインテグラルリンク１８は、リセッション角（後輪が段差に乗り上げた時、当該後輪が上下方向に移動する側面視の揺動軌跡と、路面との成す角度）をコントロールするためのリンクである。
【００２４】
この実施例では、上述のロアアーム１７としてＨ型ロアアームを採用しており、該ロアアーム１７の車幅方向外端後部に設けられた連結部１７ｂ（図３参照）はハブサポート１９のロアアーム支持部に枢支連結されている。
【００２５】
２０は後輪をトーイン（ｔｏｅ−ｉｎ）に設定してその直進性を確保するためのトーコントロールリンクで、該トーコントロールリンク２０の車幅方向外端部に設けられた連結部２０ａはハブサポート１９のトーコントロールリンク支持部に枢支連結されている。
【００２６】
２１はアッパアームで、このアッパアーム２１の車幅方向外端部に設けられた連結部２１ａはハブサポート１９のアッパアーム支持部に枢支連結されている。この実施例では、該アッパアーム２１としてＩ型アッパアームを採用している。
【００２７】
図１，図４，図５に示すように、上述のハブサポート１９には車幅方向内側に延びるダンパ支持部１９ａを一体形成し、このダンパ支持部１９ａにはストラット構造のダンパ２２を取付けている。
【００２８】
また、図２，図３に示すように、上述のロアアーム１７の後部には後方に膨出する膨出部１７ｃを設け、この膨出部１７ｃの上部に取付けたスプリングロアリテーナ２３と、車体側のリヤサイドフレームに設けられたスプリングアッパリテーナ（図示せず）との間には、コイルスプリング２４を張架している。
【００２９】
さらに、図２，図３，図５に示すように、上述のリヤクロスメンバ１２の後方には、該リヤクロスメンバ１２に沿うようにスタビライザ２５を設け、このスタビライザ２５の左右両端部がロアアーム１７上方に位置するように当該スタビライザ２５の車幅方向両端部を車両前方に向けて屈曲形成すると共に、該屈曲端部は連結部材を用いてロアアーム１７に連結している。このスタビライザ２５は、ねじり剛性の抵抗により片輪のみのバンプ、リバウンド時にロール角を抑制するものである。
【００３０】
図４に示すように、上述のフロントクロスメンバ１１の下部中央にはプロペラシャフト２６を車両前後方向に挿通するトンネル部１１ａが設けられ、当該フロントクロスメンバ１１が鞍型に形成されている。そして、このトンネル部１１ａの下部を車幅方向に連結する補強部材としてのブレース２７が設けられている。
【００３１】
図１〜図３に示すように、上述のリヤクロスメンバ１２の車幅方向中間部には、リヤ側のデフマウント部１２ａが形成されており、このデフマウント部１２ａにデフマウントブッシュ２８を介してデフマウントブラケット２９を取付けている。
【００３２】
この実施例の車両は、後輪に駆動力を伝達するタイプの車両であって、上述のデフマウントブラケット２９でリヤディファレンシャル装置（図示せず）の後部を支持するように構成している。
【００３３】
図６はリヤサブフレーム構造を車両左側後方から見た状態で示す斜視図、図７はリヤサブフレーム構造を車両右上後方から見た状態で示す斜視図、図８の（ａ）は図２のＡ−Ａ線に沿う要部の矢視断面図、図８の（ｂ）は図２のＢ−Ｂ線に沿う要部の矢視断面図、図９は図２のＣ−Ｃ線に沿う要部の矢視断面図、図１０は図２の要部側面図、図１１は図１０のＤ−Ｄ線矢視断面図である。  
なお、図６〜図１１においては車両左側の構成を示しているが、車両右側の構成は左側のそれと左右対称または左右略対称に形成されている。
【００３４】
図８，図９，図１１に示すように、上述のフロントクロスメンバ１１は、前側に位置するフロントパネル３１と後側に位置するリヤパネル３２とを接合固定して車幅方向に延びる閉断面Ｓ１を有している。詳しくは、上述のフロントクロスメンバ１１は、側面視でリヤサブフレーム１０中央側（つまり、後方側）のリヤパネル３２と、このリヤパネル３２よりも上面３１ａが後方に延び、かつ、前面３１ｂが下方に延びるフロントパネル３１とで閉断面Ｓ１が形成されている。
【００３５】
図１，図６に示すように、上述のフロントクロスメンバ１１の左右両側部は、車幅方向外方かつ、前下に傾斜しており、これにより、上記閉断面Ｓ１の前部が図８，図９に示すように、下方に延びて拡大閉断面Ｓ１ａが形成される一方で、フロントクロスメンバ１１の車幅方向側部の閉断面Ｓ１の後部が図８，図９に示すように、上前方向に凹んで凹入部としての凹入閉断面Ｓ１ｂが形成されている。ここで、上述の拡大閉断面Ｓ１ａと凹入閉断面Ｓ１ｂとは連続するものである。
【００３６】
図６，図８，図９に示すように、拡大閉断面Ｓ１ａの後部には、ロアアーム１７の前後の取付け部１７ｄ，１７ｅのうちの前側の取付け部１７ｄを支持するロアアーム支持部３２ａが形成されている。
【００３７】
図８の（ｂ）に示すように、上述の閉断面Ｓ１の上部後面、詳しくは、凹入閉断面Ｓ１ｂの後面には、柱状部３３を介して、上側サイドメンバ１３が連結されている。
【００３８】
このように、フロントクロスメンバ１１の車幅方向側部を前下に傾斜させることで、リヤシートパン（リヤフロアパネル）との干渉を回避しつつ、閉断面Ｓ１の前部を下方に拡大（拡大閉断面Ｓ１ａ参照）して、ロアアーム１７の揺動範囲を狭めることなく、車幅方向の剛性を確保すべく構成したものである。  
つまり、フロントクロスメンバ１１や上側サイドメンバ１３を充分な閉断面構造（直線状に延びる閉断面構造）で連結できないようなリヤシートパン下部の狭い空間に対してリヤサブフレーム１０を配設する構造であっても、車幅方向の高剛性化と、ロアアーム支持部３２ａのスペース確保（詳しくは、ロアアーム１７の取付け部１７ｄのスペース確保）との両立を図るように構成したものである。
【００３９】
図６，図７，図８に示すように、上述の柱状部３３は、アッパアーム２１の取付け部２１ｂ（図２参照）を支持するアッパアーム支持部３４ａが形成された後板３４と、ロアアーム支持部３５ａを形成する縦壁部としての前板３５とで閉断面Ｓ２形状に構成されている。なお、上述の後板３４は図６，図１１に示すように、平面視でコ字状断面を有するように形成されている。
【００４０】
図７に示すように、上述の前板３５は、その主面部外周縁から車両前方に延びてフロントクロスメンバ１１のリヤパネル３２背面に突き当て溶接されるドーム形状のフランジ部３５ｂを有している。
【００４１】
図８，図９に示すように、フロントクロスメンバ１１の車幅方向側部の閉断面Ｓ１と、その直後に位置する縦壁部としての前板３５と、下側サイドメンバ１４上面とで車幅方向に延びる第２の閉断面Ｓ３が形成されており、これにより、ロアアーム支持スペースの確保と、下側サイドメンバ１４の連結剛性向上との両立を図るように構成している。
【００４２】
ここで、図７に示すように、縦壁部としての前板３５の下部は、下側サイドメンバ１４の上面および車幅方向外側の側面に突き当て溶接により固定されている。
【００４３】
図８の（ｂ）に示すように、上述の閉断面Ｓ２構造の柱状部３３は、第２の閉断面Ｓ３の直後に設けられており、該柱状部３３は、縦壁部としての前板３５を含んで下側サイドメンバ１４から上方に延びて上述のフロントクロスメンバ１１背面と連結され、この柱状部３３の上部後面、詳しくは、後板３４の上部後面は上側サイドメンバ１３前端部と溶接手段にて連結されている。
【００４４】
これにより、ロアアーム支持部３２ａ，３５ａのうち前側のロアアーム支持部３２ａは、フロントクロスメンバ１１の車幅方向側部において閉断面Ｓ１の前部が下方に延びた部位（拡大閉断面Ｓ１ａの部位）で形成され、ロアアーム支持部３２ａ，３５ａのうち後側のロアアーム支持部３５ａは、閉断面Ｓ２構造の柱状部３３で形成され、かつ上記柱状部３３は上側サイドメンバ１３と下側サイドメンバ１４とフロントクロスメンバ１１との全てに連結され、荷重分散が図れて、高剛性化が達成できるよう構成したものである。
【００４５】
また、フロントクロスメンバ１１の車幅方向側部を低くしつつ、充分なロアアーム支持スペースを確保するために、閉断面Ｓ１後部の凹入部としての凹入閉断面Ｓ１ｂの上下寸法を上側サイドメンバ１３の上下方向の寸法よりも薄くしても、柱状部３３（詳しくは、その後板３４）をセットプレートとして用いて連結剛性の向上を図るよう構成したものである。
【００４６】
図６，図７，図８に示すように、前板３５と後板３４とから成り車幅方向および上下方向に延びる縦壁状の上記柱状部３３は、フロントクロスメンバ１１の車幅方向側部と、上側サイドメンバ１３前端部との間に挟持固定されている。  
上述の柱状部３３の下部、詳しくは、前板３５および後板３４の下部は、図６〜図８に示すように、下側サイドメンバ１４の上面と車幅方向外側の側面とにそれぞれ連結されると共に、柱状部３３を構成する後板３４の上部には、上述のアッパアーム支持部３４ａが形成される一方、柱状部３３を構成する前板３５の下部には、上述のロアアーム支持部３５ａが形成されている。
【００４７】
これにより、上下の各アーム（ロアアーム１７、アッパアーム２１）からの入力荷重を上下のサイドメンバ１３，１４やフロントクロスメンバ１１に直接伝達して、荷重分散を図ることで、高剛性化を達成すると共に、上記柱状部３３に上下のアーム支持部３４ａ，３５ａが形成されていることで、ロアアーム１７、アッパアーム２１間の位置決め精度の向上を図るよう構成したものである。
【００４８】
図６，図７，図１０に示すように、アッパアーム支持部３４ａはその後部に側面視で略Ｚ字状のアッパアーム支持ブラケット３６を備えている。
【００４９】
図６，図７，図１０に示すように、このアッパアーム支持ブラケット３６は、上下方向に延びる縦片３６ａと、この縦片３６ａの上端から後方に延びる上片３６ｂと、上述の縦片３６ａの下端から前方に延びる下片３６ｃと、を一体形成したもので、図１０に示すように、縦片３６ａの上側半分と上片３６ｂとは上側サイドメンバ１３の車幅方向外側の側面に突き当て溶接されており、下片３６ｃの前端は後板３４の背面に突き当て溶接されている。
【００５０】
図１０に示すように、上述のアッパアーム支持ブラケット３６は、フロントクロスメンバ１１とで上述の柱上部３３を挟持しており、また、該アッパアーム支持ブラケット３６で上側サイドメンバ１３前部と柱状部３３の上下方向中間部とを連結しており、上記両者３６，１１による柱状部３３の挟持構造にて、当該柱状部３３を確実に支持させつつ、柱状部３３上部のアッパアーム支持部３４ａとアッパアーム支持ブラケット３６とでアッパアーム２１を支持して、該アッパアーム２１の支持剛性を高め、また、柱状部３３と上側サイドメンバ１３との連結剛性の向上を図るよう構成したものである。
【００５１】
図８の（ｂ）に示すように、柱状部３３の後板３４上部はフロントクロスメンバ１１（詳しくは、そのフロントパネル３１の上面３１ａ後部）に直結されており、ロアアーム支持部３５ａ，３２ａは、上述の前板３５下部とフロントクロスメンバ１１下部（詳しくは、そのリヤパネル３２の下部）とで構成されている。  
これにより、アッパアーム２１およびロアアーム１７からの荷重を、フロントクロスメンバ１１および上下の各サイドメンバ１３，１４に伝達して、荷重分散を図り、高剛性化を達成するよう構成したものである。
【００５２】
図８の（ｂ）、図１０に示すように、上述の柱状部３３は上側サイドメンバ１３と下側サイドメンバ１４との間に上下方向に延設されたもので、該柱状部３３の下側サイドメンバ１４上方の前面、つまり、前板３５に上述のロアアーム支持部３５ａが設けられている。
【００５３】
また、図６，図７，図８の（ｂ）に示すように、ロアアーム支持部３５ａの下方で、かつ下側サイドメンバ１４の車幅方向外側方の柱状部３３後面、つまり、後板３４にはトーコントロールリンク支持部３４ｂが設けられている。
【００５４】
図６，図７，図１１に示すように、トーコントロールリンク支持部３４ｂを後方から支持するトーコントロールリンク支持ブラケット３７（以下単に、リンク支持ブラケットと略記する）を設けている。
【００５５】
このリンク支持ブラケット３７は、同図に示すように、下側サイドメンバ１４上面に立設固定されて車両前後方向に延びる前片３７ａと、横向き凹状の切欠き部３７ｂを下側サイドメンバ１４の上面、外側面、下面に溶接固定して車幅方向外方に延びる側片３７ｃと、を一体形成したものである。  
そして、このリンク支持ブラケット３７が、下側サイドメンバ１４と柱状部３３のロアアーム支持部３５ａ背面との間に架設されている。
【００５６】
上述のロアアーム支持部３５ａと、トーコントロールリンク支持部３４ｂとを上下方向にずらしたレイアウトと成しており、これにより上述の各支持部３５ａ，３４ｂおよびロアアーム１７と、トーコントロールリンク２０とのコンパクトな集約配置を達成し、これらロアアーム１７、トーコントロールリンク２０からの荷重を下側サイドメンバ１４の上面と側面とに分散すると共に、上下の各サイドメンバ１３，１４にも分散して、高剛性化を図るよう構成したものであり、加えて、上述の柱状部３３がロアアーム１７とトーコントロールリンク２０との２部品を支持することで、ロアアーム１７とトーコントロールリンク２０との間の位置決め精度も高まるように構成したものである。
【００５７】
ここで、上述のアーム支持部３５ａが、ロアアーム１７を支持するロアアーム支持部３５ａに設定されることで、ロアアーム１７の前側取付け部１７ｄを下側サイドメンバ１４の車幅方向外側の側縁よりも車幅方向内側までオフセットさせて配置することができ、図８の（ｂ）に示す仮想的なロアアーム揺動中心線Ｌの設定自由度の向上を図るように構成している。
【００５８】
図８の（ｂ）に示すように、ロアアーム支持部３５ａで支持されるロアアーム１７はその前後両部に車体側取付け部１７ｄ，１７ｅが設けられている。すなわち、該ロアアーム１７はそのアーム揺動中心側の前側に前側取付け部１７ｄを備えており、そのアーム揺動中心側の後側に後側取付け部１７ｅを備えている。
【００５９】
そして、図８の（ｂ）に示すように、柱状部３３のロアアーム支持部３５ａよりも下方で、かつロアアーム１７の前後の取付け部１７ｄ，１７ｅを通るロアアーム揺動中心線Ｌがリンク支持部３４ｂよりも上方になるよう上記リヤクロスメンバ１２と連結または一体に形成されたロアアーム後側支持部１２ｂ，１２ｃが設けられている。
【００６０】
図８の（ｂ）に示すように、上下のサイドメンバ１３，１４がリヤクロスメンバ１２で上下に連結されており、頑強な箱形構造を形成している。また、リヤクロスメンバ１２の下部にロアアーム１７の後側支持部１２ｂ，１２ｃが設けられており、ロアアーム１７の荷重をその前後の取付け部１７ｄ，１７ｅを介して前後に分散させ、かつ、ロアアーム１７の前後の取付け部１７ｄ，１７ｅがリセッション角を得るための角度をもってリンク支持部３４ｂよりも上方にロアアーム揺動中心線Ｌ（仮想軸）が形成されるように成して、リヤシートパンが近接するような狭い空間であっても、ロアアーム前側支持部３５ａとリンク支持部３４ｂとを強固に形成すべく構成したものである。
【００６１】
すなわち、ロアアーム１７の支持部で支持剛性を高めつつ、トーコントロールリンク２０との干渉を回避して、リセッション角の設定が容易となるよう構成したものである。
【００６２】
図９，図１０に示すように、上側サイドメンバ１３と下側サイドメンバ１４とを上下方向に連結する上述のリヤクロスメンバ１２は、上側サイドメンバ１３の車幅方向内側の側面に沿って車両前後方向に拡幅された側面視Ｔ字状の閉断面Ｓ４構造（換言すれば、側面視Ｔ字状の内部中空構造）に形成されている。
【００６３】
但し、図１，図２に示すように、この側面視Ｔ字状の閉断面Ｓ４は、リヤクロスメンバ１２の左右両サイド部分にのみ形成されており、リヤクロスメンバ１２の車幅方向中間部には、図８の（ａ）に示すように、上下方向に延びる側面視Ｉ字状の閉断面Ｓ５が形成されている。ここで、上述の各閉断面Ｓ４，Ｓ５は車幅方向に連通するものである。
【００６４】
また、図９に示すように、上述の側面視Ｔ字状の閉断面Ｓ４と対応するリヤクロスメンバ１２の車幅方向側部下側には、上述のロアアーム支持部１２ｂ，１２ｃが設けられており、これらの各ロアアーム支持部１２ｂ，１２ｃによりロアアーム１７の後側取付け部１７ｅを支持するように構成している。
【００６５】
側面視Ｔ字状の閉断面Ｓ４を形成したリヤクロスメンバ１２は、その上部に上面前側突出部１２ｄと上面後側突出部１２ｅとが車両前後方向に張り出し形成されており、この上面後側突出部１２ｅと、前後一対のロアアーム支持部１２ｂ，１２ｃのうちの後側のロアアーム支持部１２ｃ（この実施例では、後側のロアアーム支持部１２ｃの近傍）と、の間には、スタビライザ支持部材としてのスタビライザ支持ブラケット３８が架け渡されている。
【００６６】
このように、リヤクロスメンバ１２を側面視Ｔ字状の閉断面Ｓ４構造と成すことで、リヤクロスメンバ１２の閉断面大型化と剛性向上とを図り、かつ、リヤクロスメンバ１２の上面後側突出部１２ｅとロアアーム支持部１２ｃとの間にスタビライザ支持ブラケット３８を斜め方向に架け渡すことで、該スタビライザ支持ブラケット３８にてリヤクロスメンバ１２を補強し、部品点数を増加することなく、スタビライザ２５の配設スペースを確保するよう構成したものである。
【００６７】
図１３の（ａ）はスタビライザ支持ブラケット３８を示す斜視図であって、同図に示すように、該スタビライザ支持ブラケット３８は、車幅方向内外一対の側片３８ａ，３８ｂと、これら側片３８ａ，３８ｂを連結する後片３８ｃとを一体形成したものであり、スタビライザ支持ブラケット３８のリヤサブフレーム１０（詳しくは、リヤクロスメンバ１２）への組付け完了時には、上記後片３８ｃが前低後高状に傾斜するようになっている。
【００６８】
ここで、上述のスタビライザ２５は、スタビライザ支持ブラケット３８の後片３８ｃ背面に、ボルト、ナットにより締結されるサポートブラケット３９を用いて、取付けられる（図６，図９参照）。
【００６９】
図１，図２に示すように、リヤクロスメンバ１２の頂部には、車幅方向中間において車幅方向に延びる稜線Ｘ１と、この稜線Ｘ１の左右両端部から上面前側突出部１２ｄの前部上端に沿って車幅方向外方に延びる稜線Ｘ２，Ｘ２と、これら各稜線Ｘ１，Ｘ２の接続部位から上面後側突出部１２ｅの後部上端に沿って車幅方向外方に延びる稜線Ｘ３，Ｘ３と、が形成されており、これらの各稜線Ｘ１，Ｘ２，Ｘ３は平面視で概ねＸ字状に組合わされていて、リヤクロスメンバ１２の捩り剛性の向上を図るように構成している。
【００７０】
図９，図１０に示すように、リヤクロスメンバ１２のスタビライザ支持ブラケット３８下端近傍において、上述の閉断面Ｓ４内には隔壁部材４０が設けられており、この隔壁部材４０と下側サイドメンバ１４上面とで車幅方向に延びる下部閉断面Ｓ６が形成されている。
【００７１】
上述の下部閉断面Ｓ６の形成により、リヤクロスメンバ１２の車幅方向の局部的な剛性を高め、ロアアーム後側支持部１２ｂ，１２ｃからの荷重伝達に対して強く成し、応力が集中することによる断面変形の防止と、車幅方向剛性向上との両立を図るよう構成したものである。
【００７２】
図１２の（ａ）は隔壁部材４０の平面図、図１２の（ｂ）は隔壁部材４０の斜視図であって、この隔壁部材４０は、リヤクロスメンバ１２の閉断面Ｓ４内に位置して車幅方向に延びる下片４０ａと、この下片４０ａの車幅方向外端からリヤクロスメンバ１２の前後幅で所定量上方に延びた後に、前後両部が拡幅形成された側片４０ｂと、を一体形成したもので、図１１に示すように、上述の下片４０ａはリヤクロスメンバ１２の前後両壁に溶接固定されており、図９に示すように、側片４０ｂの上端は上面前側突出部１２ｄの下面と、上面後側突出部１２ｅの下面とに溶接固定されている。  
ここで、上述のリヤクロスメンバ１２は２部材を組合せて形成してもよく、或は、ハイドロフォーム成形部品により形成してもよい。
【００７３】
図１３の（ｂ）はブレース２７を拡大して示す正面図であって、図４，図１３の（ｂ）に示すように、該ブレース２７はプロペラシャフト２６を避けて下方に膨出する中央下側膨出部２７ａと、この中央下側膨出部２７ａの車幅方向左右両外側において排気管４１（但し、排気管４１は車両右側にのみ設けられる）を避けて上方に膨出する左右一対の上方膨出部２７ｂ，２７ｂとが一体形成されている。この実施例では、上述のブレース２７はアルミダイカストにより構成されている。
【００７４】
図１３の（ｂ）に示すように、上述の中央下側膨出部２７ａと、その左右の上方膨出部２７ｂ，２７ｂとは、これらの各端部が平面視（または底面視）で互にオーバラップすると共に、これらの各膨出部２７ａ，２７ｂは滑らかに一体連結されている。  
上述のブレース２７の車幅方向左右両側部には、図３に示すように、トーコントロールリンク２０の車体取付け部の位置まで後方に延びるトンネル部取付け部２７ｃ，２７ｃ（以下単に取付け部と略記する）が一体形成されている。
【００７５】
そして、このブレース２７には、図１３の（ｂ）に示すように、左右の取付け部２７ｃ，２７ｃを車幅方向に略直線的に連結する荷重伝達経路５０が形成されている。  
具体的には、図１３の（ｂ）に示されるような左右の取付け部２７ｃ，２７ｃを通る仮想線上に膨出部の非膨出側の縁が近接することが好ましく、重なるのが更に好ましい。また重ならずに近接する場合、非膨出側の縁は、仮想線に対する屈曲量が、膨出側の縁の屈曲量よりも小さい、すなわち仮想線からの離間距離が小さく直線に近いことが好ましい。
【００７６】
これにより、厚みが大きいブレースを車幅方向に真っ直ぐに配設することが困難な部位であっても、プロペラシャフト２６や排気管４１を回避しつつ、上記ブレース２７の左右の取付け部２７ｃ，２７ｃを車幅方向に直線的に連結する荷重伝達経路５０を確保し、かつ上記各膨出部２７ａ，２７ｂによりブレース２７それ自体の補強を行なって、延いては、フロントクロスメンバ１１を補強するよう構成したものである。
【００７７】
図４，図１３の（ｂ）に示すように、上述のブレース２７の左右一対の上方膨出部２７ｂには、デフマウントブッシュ４２を支持するデフマウント部２７ｄがそれぞれ設けられている。これにより、部品点数を増加することなく、デフマウント部２７ｄを上方膨出部２７ｂにて補強して、リヤディファレンシャル装置（図示せず）の支持を可能とし、当該リヤディファレンシャル装置の前側においては、別途、デフマウントブラケットを設ける必要がないよう構成している。
【００７８】
図２で示すように、リヤディファレンシャル装置（図示せず）は上述のデフマウントブッシュ４２と、その後方に位置するリヤ側のデフマウントブラケット２９とで支持される。
【００７９】
図３，図８の（ｂ）に示すように、上述のブレース２７は、フロントクロスメンバ１１下部と、その後方に設けられた柱状部３３とで形成されたロアアーム支持部３２ａ，３５ａに対して、下面視でオーバラップする位置において下側サイドメンバ１４に連結されている。
【００８０】
すなわち、ブレース２７の取付け部２７ｃを、その前後方向に離間した位置においてボルト等の複数の締結部材４３，４３を用いて、ロアアーム支持部３２ａ，３５ａと下面視でオーバラップすべく下側サイドメンバ１４の底面に連結固定している。これにより、ブレース２７を用いて上述のロアアーム支持部３２ａ，３５ａを補強するよう構成したものである。
【００８１】
なお、図１，図５において、４４は軽量化用の開口部、図６，図７において、４５はロアアーム１７の取付け部１７ｄを組付け作業するための開口部、図８の（ａ）において、４６はスペアタイヤパンとの干渉を回避するための円弧状の凹部である。また、図中、矢印Ｆは車両前方を示し、矢印Ｒは車両後方を示し、矢印ＩＮは車幅方向の内方を示し、矢印ＯＵＴは車幅方向の外方を示す。
【００８２】
このように、上記実施例のリヤサブフレーム構造は、車幅方向に延びるフロントクロスメンバ１１と、該フロントクロスメンバ１１に連結されて車両前後方向に延びる左右一対のサイドメンバ（上側サイドメンバ１３，１３参照）とを備えたリヤサブフレーム１０を設け、上記フロントクロスメンバ１１の車幅方向両端に車体取付け部１５，１５が設けられたリヤサブフレーム構造であって、上記フロントクロスメンバ１１の下部中央にはプロペラシャフト２６を挿通するトンネル部１１ａが設けられており、上記トンネル部１１ａ下部を車幅方向に連結するブレース２７が設けられ、該ブレース２７は、上記プロペラシャフト２６を避けて下方に膨出する中央下側膨出部２７ａと、該中央下側膨出部２７ａの車幅方向外側において排気管４１を避けて上方に膨出する上方膨出部２７ｂとが形成され、上記ブレース２７には、左右の取付け部２７ｃ，２７ｃを車幅方向に略直線的に連結する荷重伝達経路５０が形成されたものである（図１，図４，図１３参照）。
【００８３】
この構成によれば、厚みが大きいブレースを車幅方向に真っ直ぐに配設することが困難な部位であっても、プロペラシャフト２６や排気管４１を回避しつつ、ブレース２７の左右の取付け部２７ｃ，２７ｃを車幅方向に直線的に連結する荷重伝達経路５０を確保することができると共に、上記各膨出部２７ａ，２７ｂによりブレース２７それ自体の補強を行ない、延いては、フロントクロスメンバ１１を補強することができる。
【００８４】
この発明の一実施形態においては、上記上方膨出部２７ｂには、デフマウントブッシュ４２を支持するデフマウント部２７ｄが設けられたものである（図４，図１３参照）。
【００８５】
この構成によれば、部品点数を増加することなく、デフマウント部２７ｄを上方膨出部２７ｂにて補強して、リヤディファレンシャル装置の支持が可能となり、かつ別途、デフマウントブラケットを設ける必要もない。
【００８６】
この発明の一実施形態においては、上記リヤサブフレーム１０は、フロントクロスメンバ１１の後方において車幅方向に延びるリヤクロスメンバ１２と、上記サイドメンバ（上側サイドメンバ１３）の下方において車両前後方向に延びる下側サイドメンバ１４とを、さらに備えており、上記ブレース２７は、上記フロントクロスメンバ１１下部と、その後方で、上記フロントクロスメンバ１１の上部と下側サイドメンバ１４との間、または上記サイドメンバ（つまり、上側サイドメンバ１３）と下側サイドメンバ１４との間に設けられた柱状部３３とで形成されたロアアーム支持部３２ａ，３５ａに対して、下面視でオーバラップする位置において上記下側サイドメンバ１４に連結されたものである（図３，図８参照）。
【００８７】
この構成によれば、上述のブレース２７によりロアアーム支持部３２ａ，３５ａそれ自体の補強を行なうことができる。
【００８８】
この発明の構成と、上述の実施例との対応において、
この発明のサイドメンバは、実施例の上側サイドメンバ１３に対応し、
以下同様に、
トンネル部取付け部は、取付け部２７ｃに対応するも、
この発明は、上述の実施例の構成のみに限定されるものではない。
【産業上の利用可能性】
【００８９】
以上説明したように、本発明は、車幅方向に延びるフロントクロスメンバと、該フロントクロスメンバに連結されて車両前後方向に延びる左右一対のサイドメンバとを備えたリヤサブフレームを設け、上記フロントクロスメンバの車幅方向両端に車体取付け部が設けられたリヤサブフレーム構造について有用である。
【符号の説明】
【００９０】
１０…リヤサブフレーム
１１…フロントクロスメンバ
１１ａ…トンネル部
１２…リヤクロスメンバ
１３…上側サイドメンバ（サイドメンバ）
１４…下側サイドメンバ
１５…車体取付け部
２６…プロペラシャフト
２７…ブレース
２７ａ…中央下側膨出部
２７ｂ…上方膨出部
２７ｃ…取付け部（トンネル部取付け部）
２７ｄ…デフマウント部
３２ａ，３５ａ…ロアアーム支持部
３３…柱状部
４１…排気管
４２…デフマウントブッシュ
５０…荷重伝達経路
【図１】
2017087995.tif 000003
【図２】
2017087995.tif 000004
【図３】
2017087995.tif 000005
【図４】
2017087995.tif 000006
【図５】
2017087995.tif 000007
【図６】
2017087995.tif 000008
【図７】
2017087995.tif 000009
【図８】
2017087995.tif 000010
【図９】
2017087995.tif 000011
【図１０】
2017087995.tif 000012
【図１１】
2017087995.tif 000013
【図１２】
2017087995.tif 000014
【図１３】
2017087995.tif 000015